(57)【要約】【目的】対物レンズを保護するプロテクターを接着する接着剤がプロテクター上面に付着しないことを可能とする。【構成】対物レンズ１をレンズホルダー３に接着する接着構造において、対物レンズ１の有効レンズ面を確保した透光を有し、対物レンズ１の枠の外周上面より側面上部領域を覆設するプロテクター２を備え、該プロテクター２の外周側面にはディスク方向に段差が形成されるように切り欠き部を設け、この切り欠き部の下部のプロテクター下領域と、対物レンズ１と、レンズホルダー３とを接着するようにした。【選択図】    図１
2005122833.tif 000002
【特許請求の範囲】
【請求項１】
対物レンズをレンズホルダーに接着する接着構造において、対物レンズの有効レンズ面を確保した透光を有し、対物レンズの枠の外周上面より側面上部領域を覆設するプロテクターを備え、該プロテクターの外周側面にはディスク方向に段差が形成されるように切り欠き部を設け、この切り欠き部の下部のプロテクター下領域と、対物レンズと、レンズホルダーとを接着することを特徴とする光ピックアップの対物レンズ接着構造。
【請求項２】
プロテクターに設けられた切り欠き部の下面に位置するレンズホルダーに接着剤を溜める凹状の壁を設けたことを特徴とする請求項１に記載の光ピックアップの対物レンズ接着構造。
【発明の詳細な説明】
【技術分野】
【０００１】
本発明は、レーザービームを収束させてＣＤ（Compact Disc）などの再生または書き込みに用いられるアクチュエータに配置されている対物レンズをレンズホルダーに接着する接着構造に関する。
【背景技術】
【０００２】
光ピックアップ装置としては、ＣＤ（Compact Disc）またはＤＶＤ（Digital Versatile Disc）の再生または記録動作を行うには、レーザー素子から放射したレーザービームは対物レンズによりレーザービームをディスクにスポットとして収束して照射しなければならない。
【０００３】
再生または記録動作時、何らかの異常動作により対物レンズがディスクに接触する可能性がある。対物レンズの材質は硬質プラスチックなどが使用され、対物レンズがディスクに接触するとディスクに傷が付く恐れがある。
【０００４】
特開２００３−２４８９６５号には対物レンズの周辺部に所定の厚さ寸法でもうけられるコバと、該コバをレンズホルダーに保持する載置部と、レンズホルダーに、前記コバよりも外周側に切り欠き部を設け、前記コバの周側面と載置部をボッティング接着する構造が採られている。このような方式の光ピックアップは、対物レンズを覆うプロテクターを有さなく、何らかの異常動作により対物レンズがディスクに接触し、ディスクに傷を付ける可能性がある。
【０００５】
上述した問題の解決方法として、何らかの異常動作が発生し、ディスクに接触してもディスクに傷を付けないように対物レンズの上面外周にポリアセタール、アセタール樹脂（通称ジュラコン）のプロテクターを設けている。このポリアセタール、アセタール樹脂は熱可塑性プラスチックの中で、最も摩擦特性に優れており、ディスクに接触しても傷を最小限度に抑えることが可能である。
【０００６】
このような構造は、対物レンズの上面外周を覆設したプロテクターと、対物レンズと、対物レンズを載置するレンズホルダーをＵＶ接着する必要がある、ＵＶ接着剤は接着時、プロテクターの上面にまで接着剤が溢れてしまうことがあった、プロテクター上面に付着したＵＶ接着剤は何らかの異常動作が発生した場合に硬いＵＶ接着剤とディスクが接触し、ディスクに傷を付ける原因となっていた。
【０００７】
図５は従来の一実施例である光ピックアップの対物レンズ接着構造を示す斜視図である。図６は図５に示す光ピックアップの対物レンズ接着構造の展開斜視図、図７は図５に示す光ピックアップの対物レンズ接着構造の断面図である。
【０００８】
図において、５１はＣＤの読み取り及び書き込みを行うレーザー素子（記載せず）より放射されるレーザービームを収束しディスクに照射する対物レンズであり、該対物レンズ５１の外周には外周側面５１ａと、該外周側面５１ａには厚みを有する外周上面５１ｂと下面には下面台５１ｃの厚みを有する台を有している。５２は前記対物レンズ５１の外周上面５１ｂと外周側面５１ａを覆うプロテクターであり、摩擦特性に優れているポリアセタール、アセタール樹脂を使用している。
【０００９】
５３は前記対物レンズ５１と、該対物レンズ５１の外周側面５１ａを位置決めする壁５３ａと、該壁５３ａの近傍には接着剤を溜める凹状の壁を有する凹状壁５３ｂが対物レン
ズ５１の周囲４箇所に配置される載置部５３ｃを有するレンズホルダーである。
【００１０】
斯かる部品構成において、図６に示す通り、載置部５３ｃに対物レンズ５１を壁５３ａ内に沿って挿入する。載置部に配置された対物レンズ５１は、該対物レンズ５１の外周側面５１ａと外周上面５１ｂとをプロテクター５２にて覆設する、そのとき、外周上面５１ｂとプロテクター５２の内側面は当接することとなり、プロテクター５２の外周は図７に示す通り外周側面５１ａの下方領域を覆うことはないように設計されている。
【００１１】
このような構成において対物レンズ５１をＵＶ接着するとき、図７に示す通り、ＵＶ接着剤を凹状壁５３ｂ内と外周側面５１ａの下領域とプロテクター５２の外周面にＵＶ接着剤を注入して接着するが、通常は接着状態５４の通りプロテクター５２の上面に接着剤が溢れている状態ではないが、中には少しでも接着剤が多いと接着Ｂ状態５５に示す通り、プロテクター５２の上面に盛り上がる場合がある。このようにプロテクター５２の上面に盛り上がったＵＶ接着剤は、何らかの異常動作により対物レンズがディスクに接触した場合、硬いＵＶ接着剤に当接することとなりディスクに傷を付けることとなる。
【特許文献１】特開２００３−２４８９６５号
【特許文献２】特開平０５−１０９０９８号
【発明の開示】
【発明が解決しようとする課題】
【００１２】
対物レンズをプロテクターにて覆設し、何らかの異常動作により対物レンズがディスクに接触してもディスクに大きな傷を付けないように対策しているが、対物レンズを接着する場合、ＵＶ接着剤がプロテクターの上面に流れ込み、異常動作において、ディスクにＵＶ接着剤が接触し、ディスクに大きな傷を付けるという問題があった。
【００１３】
本発明は、斯かる問題を解決した光ピックアップの対物レンズ接着構造を提供しようとするものである。
【課題を解決するための手段】
【００１４】
レーザービームを収束させてディスクに照射する対物レンズの外周部に所定の厚みの枠を有する対物レンズと、該対物レンズの外周を位置決めして挿入保持する載置部を有するレンズホルダーと、対物レンズの外周上面及び側面を覆うレンズを保護するプロテクターとを備え、該プロテクターは外周側面の複数の位置にディスク方向に切り欠き部を設け、載置部と対物レンズとプロテクテー切り欠き部の下面領域とを接着するようにした。
【発明の効果】
【００１５】
対物レンズと、プロテクターと、対物レンズが取り付けられる載置部とを接着する場合、ＵＶ接着剤を注入する時、注入する量のバラツキで注入する量が多い場合でも、ＵＶ接着剤は切り欠き部までで止まるので、プロテクターの上面までＵＶ接着剤が溢れないことから、ディスクにプロテクターが接触しても大きな傷を付けることはない。
【発明を実施するための最良の形態】
【００１６】
レーザービームを収束させてディスクに照射する対物レンズの外周部に所定の厚みの枠をする対物レンズと、該対物レンズを載置する載置部を有するレンズホルダーと、対物レンズのレンズ面の上部を透孔とし、レンズ枠の上面及び上側面を覆設してレンズを保護するプロテクターとを備え、該プロテクターの外周側面に複数の切り欠き部を設け、レンズホルダーと、対物レンズの外枠と、プロテクター切り欠き部の下面領域とを接着するようにしたもので、接着時、ＵＶ接着剤を規定より多く注入して溢れても切り欠き部に溜まるので、プロテクター上面に溢れることがない。従って、何らかの異常動作により対物レンズがディスクに接触しようとしてもＵＶ接着剤には接触せず、プロテクターに接触するこ
ととなり、プロテクターは摩擦特性に優れているポリアセタール、アセタール樹脂製を使用しているため、ディスクには大きな傷が付くことがない。
【実施例１】
【００１７】
図１は本発明の一実施例を示す光ピックアップの対物レンズ接着構造の斜視図、図２は図１に示す光ピックアップの対物レンズ接着構造の展開斜視図、図３は図１に示した光ピックアップの対物レンズ接着構造の要部を示した斜視図、図４は図１に示す光ピックアップの対物レンズ接着構造の断面図である。
【００１８】
図において１はＣＤの読み取り及び書き込みを行うレーザー素子（記載せず）より放射されるレーザービームを収束しディスクに照射する対物レンズであり、該対物レンズ１の外周には外周側面１ａと厚みを有する外周上面１ｂと下面には下面台１ｃの厚みを有する台を有している。２は対物レンズ１の有効レンズ面を確保した透孔を有し、前記対物レンズ１の外周上面１ｂと外周側面１ａを覆うプロテクターであり、摩擦特性に優れているポリアセタール、アセタール樹脂を使用している。また、プロテクター２は、図３に示す通り周囲に均等な位置の４箇所にディスク方向に階段状の切り欠き部２ａが設けられている。
【００１９】
３は前記対物レンズ１の外周側面１ａを位置決めする壁３ａと、該壁３ａに隣接する位置に接着剤を凹状の壁内に溜める凹状壁３ｂと対物レンズ１が配置される載置部３ｃを有するレンズホルダーである。
【００２０】
斯かる部品構成において、図２に示す通り、載置部３ｃに対物レンズ１を４箇所設けられた壁３ａ内に沿って挿入する。載置部に配置された対物レンズ１は、該対物レンズ１の外周上面１ｂと外周側面１ａをプロテクター２にて覆設する、そのとき外周上面１ｂとプロテクター２の裏面は当接し、プロテクター２の外周は図４に示すように外周側面１ａの下方領域を覆うことはないように設計されている。
【００２１】
上記の構成において対物レンズ１をＵＶ接着するとき、ＵＶ接着剤を凹状壁３ｂ内に注入するが、注入されたＵＶ接着剤は図４に示す接着状態４の通り、対物レンズ１の外周側面１ａの下面領域部分と凹状壁３ｂの内面とプロテクターの外周面を接着する。この場合、通常の接着時は接着状態４を示し、ＵＶ接着剤の量が多すぎる場合において、接着状態５に示す通り接着剤が溢れても、プロテクター２の表面にＵＶ接着剤が溢れることなく切り欠き部２ａに溜まることとなる。よって対物レンズがディスクに接触するような異常動作が発生しても接着剤とディスクが接触することがなくディスクに大きな傷が付く心配がない。
【産業上の利用可能性】
【００２２】
上述したように、対物レンズにプロテクターを覆設する構成による対物レンズの接着方法に大いに効果がある。
【図面の簡単な説明】
【００２３】
【図１】本発明による光ピックアップの対物レンズ接着構造の一実施例を示す斜視図である。
【図２】図１に示す光ピックアップの対物レンズ接着構造の展開斜視図である。
【図３】図１に示す光ピックアップの対物レンズ接着構造の要部を示す斜視図である。
【図４】図１に示す光ピックアップの対物レンズ接着構造の断面図である。
【図５】従来例の一実施例を示す光ピックアップの対物レンズ接着構造の斜視図である。
【図６】図５に示す光ピックアップの対物レンズ接着構造の展開斜視図である。
【図７】図５に示す光ピックアップの対物レンズ接着構造の断面図である。
【符号の説明】
【００２４】
１      対物レンズ
１ａ    外周側面
２      プロテクター
２ａ    切り欠き部
３      レンズホルダー
３ｂ    凹状壁
３ｃ    載置部
【図１】
2005122833.tif 000003
【図２】
2005122833.tif 000004
【図３】
2005122833.tif 000005
【図４】
2005122833.tif 000006
【図５】
2005122833.tif 000007
【図６】
2005122833.tif 000008
【図７】
2005122833.tif 000009